【手続補正書】
【提出日】平成29年4月5日(2017.4.5)
【手続補正１】
【補正対象書類名】特許請求の範囲
【補正対象項目名】請求項１
【補正方法】変更
【補正の内容】
【請求項１】
複数の画像表示装置を組み合わせて１つの画面を構成するマルチ画面表示装置であって、
前記複数の画像表示装置のうちいずれか１つがマスター画像表示装置であり、
前記マスター画像表示装置は、当該マスター画像表示装置以外の前記複数の画像表示装置と通信手段を介して接続されており、
前記複数の画像表示装置のそれぞれは、
複数系統の映像信号が入力される映像入力部と、
前記複数系統の映像信号のそれぞれについて、前記映像入力部への入力の有無を判定する入力判定部と、
前記複数系統の映像信号から一つを選択する選択部と、
前記選択部が選択した系統の映像信号を表示する表示部と、
を備え、
前記マスター画像表示装置は、自己を含む前記複数の画像表示装置のそれぞれから、前記入力判定部の判定結果と、前記選択部がどの系統の映像信号を選択しているかを取得し、
前記マスター画像表示装置は、前記画像表示装置において前記選択部が前記映像入力部への入力の無い系統の映像信号を選択している場合、当該画像表示装置の前記選択部を制御して、前記映像入力部への入力の有る他の系統の映像信号を選択させるとともに、残りの少なくとも１つの前記画像表示装置の前記選択部を制御して、前記他の系統の映像信号を選択させる、
マルチ画面表示装置。
【手続補正２】
【補正対象書類名】明細書
【補正対象項目名】０００７
【補正方法】変更
【補正の内容】
【０００７】
本発明に係るマルチ画面表示装置は、複数の画像表示装置を組み合わせて１つの画面を構成するマルチ画面表示装置であって、複数の画像表示装置のうちいずれか１つがマスター画像表示装置であり、マスター画像表示装置は、当該マスター画像表示装置以外の複数の画像表示装置と通信手段を介して接続されており、複数の画像表示装置のそれぞれは、複数系統の映像信号が入力される映像入力部と、複数系統の映像信号のそれぞれについて、映像入力部への入力の有無を判定する入力判定部と、複数系統の映像信号から一つを選択する選択部と、選択部が選択した系統の映像信号を表示する表示部と、を備え、マスター画像表示装置は、自己を含む複数の画像表示装置のそれぞれから、入力判定部の判定結果と、選択部がどの系統の映像信号を選択しているかを取得し、マスター画像表示装置は、画像表示装置において選択部が映像入力部への入力の無い系統の映像信号を選択している場合、当該画像表示装置の選択部を制御して、映像入力部への入力の有る他の系統の映像信号を選択させるとともに、残りの少なくとも１つの画像表示装置の選択部を制御して、他の系統の映像信号を選択させる。
【手続補正３】
【補正対象書類名】明細書
【補正対象項目名】００１３
【補正方法】変更
【補正の内容】
【００１３】
画像表示装置１００は、映像入力部１０と、第１〜第３の信号入力部１１，１２，１３と、入力判定部９と、選択部２と、表示部と、送受信部１４と、制御部４と、画像処理部３とを備える。映像入力部１０は、第１〜第３の信号入力部１１，１２，１３を備える。第１〜３の信号入力部１１，１２，１３には、１系統ずつ、合計３系統の映像信号が入力される。入力判定部９は、第１〜第３の信号入力部１１，１２，１３に映像信号が入力されているか否かを判定する。選択部２は、第１〜第３の信号入力部１１，１２，１３に入力される複数系統の映像信号から一つを選択して画像処理部３に出力する。また、選択部２は、各映像信号の解像度情報の検出を行う。
【手続補正４】
【補正対象書類名】明細書
【補正対象項目名】００１６
【補正方法】変更
【補正の内容】
【００１６】
制御部４は、入力判定部９で検出される３系統の映像信号の信号有無判定の結果と、選択部２で検出される解像度情報により、選択部２で選択する映像信号の選択制御と画像処理部３における映像信号の拡大処理方法の制御を行うとともに送受信部１４を介して画像表示装置１００間で制御情報を送受信する。
【手続補正５】
【補正対象書類名】明細書
【補正対象項目名】００２１
【補正方法】変更
【補正の内容】
【００２１】
前述のように各画像表示装置１００の入力判定部９において、第１〜第３の信号入力部１１，１２，１３に入力される３種類の系統の映像信号のそれぞれについて信号有無判定が定期的に実行されている。判定結果は、送受信部１４を介してマスター画像表示装置１０１に送信される。マスター画像表示装置１０１は、例えば１秒間隔でスレーブ画像表示装置１０２〜１１６に対して信号有無判定の結果の送信要求を送信する（ステップＳ１０１）。スレーブ画像表示装置１０２〜１１６は、信号有無判定の結果の送信要求を受信すると（ステップＳ２０１）、信号有無判定の結果をマスター画像表示装置１０１に対して送信する（ステップＳ２０２）。マスター画像表示装置１０１は、自己の信号有無判定の結果および、すべてのスレーブ画像表示装置１０２〜１１６の信号有無判定の結果を受信する（ステップＳ１０２）。
【手続補正６】
【補正対象書類名】明細書
【補正対象項目名】００２３
【補正方法】変更
【補正の内容】
【００２３】
Ｎｏｓｉｇ１（ｎ）、Ｎｏｓｉｇ２（ｎ）、Ｎｏｓｉｇ３（ｎ）は有信号の場合は「０」、無信号の場合は「１」の値をとる。また、Ｓｉｇｓｅｌ（ｎ）は現在選択されている入力信号ポートの番号（第１から第３の信号入力部１１，１２，１３）に対応して、１、２、３のいずれかの値をとる。
【手続補正７】
【補正対象書類名】明細書
【補正対象項目名】００２５
【補正方法】変更
【補正の内容】
【００２５】
次に、マスター画像表示装置１０１は、自己およびスレーブ画像表示装置１０２〜１１６から得た情報に基づいて、全ての画像表示装置１００で共通して選択する映像信号の系統（Ｒｓｉｇｓｅｌ）を決定する（ステップＳ１０３）。ここで、Ｒｓｉｇｓｅｌは、入力信号ポートの番号に対応して、１、２、３のいずれかの値をとる。
【手続補正８】
【補正対象書類名】明細書
【補正対象項目名】００２９
【補正方法】変更
【補正の内容】
【００２９】
なお、Ｎｏｓｉｇ３（ｎ）＝１の画像表示装置１００が存在する場合は、すべての画像表示装置１００に対して有信号となる共通の系統の映像入力がないことを意味する。この場合、マスター画像表示装置１０１の制御部４は、Ｒｓｉｇｓｅｌ＝１(変更なし)とする。
【手続補正９】
【補正対象書類名】明細書
【補正対象項目名】００４０
【補正方法】変更
【補正の内容】
【００４０】
＜効果＞
本実施の形態におけるマルチ画面表示装置は、複数の画像表示装置１００を組み合わせて１つの画面を構成するマルチ画面表示装置であって、複数の画像表示装置１００のうちいずれか１つがマスター画像表示装置１０１であり、マスター画像表示装置１０１は、マスター画像表示装置１０１以外の複数の画像表示装置１００と通信手段を介して接続されており、複数の画像表示装置１００のそれぞれは、複数系統の映像信号が入力される映像入力部１０と、複数系統の映像信号のそれぞれについて、映像入力部１０への入力の有無を判定する入力判定部９と、複数系統の映像信号から一つを選択する選択部２と、選択部２が選択した系統の映像信号を表示する表示部と、を備え、マスター画像表示装置１０１は、自己を含む複数の画像表示装置１００のそれぞれから、入力判定部９の判定結果と、選択部２がどの系統の映像信号を選択しているかを取得し、マスター画像表示装置１０１は、画像表示装置１００において選択部２が映像入力部１０への入力の無い系統の映像信号を選択している場合、当該画像表示装置１００の選択部２を制御して、映像入力部１０への入力の有る他の系統の映像信号を選択させるとともに、残りの少なくとも１つの画像表示装置１００の選択部２を制御して、他の系統の映像信号を選択させる。
【手続補正１０】
【補正対象書類名】明細書
【補正対象項目名】００４１
【補正方法】変更
【補正の内容】
【００４１】
従って、複数の画像表示装置１００のいずれかにおいて映像信号が途切れた場合、この画像表示装置１００の映像信号を他の系統の映像信号に切り替えるとともに、残りの画像表示装置１００の映像信号も同一の系統の映像信号に切り替える。これにより、複数の画像表示装置１００のいずれかにおいて映像信号が途切れた場合であっても、マルチ画面全体の統一感を保ったまま、別の映像信号を表示することが可能となる。
【手続補正１１】
【補正対象書類名】明細書
【補正対象項目名】００４４
【補正方法】変更
【補正の内容】
【００４４】
＜実施の形態２＞
＜構成＞
実施の形態１では、無信号時の表示切り替えをマルチ画面表示装置全体で同一系統の映像を表示するように、マスター画像表示装置１０１がスレーブ画像表示装置１０２〜１１６の制御を行った。一方、本実施の形態２では、例えば図５に示すように、マルチ画面表示装置のマルチ画面を複数のエリアにグループ分けして、グループごとに異なる映像を表示する。これは特に、マルチ画面を構成する画像表示装置の台数が多い場合に行われる。本実施の形態では、マルチ画面表示装置の構成および画像表示装置１００の構成は実施の形態１（図１、図６）と同じため、説明を省略する。
【手続補正１２】
【補正対象書類名】明細書
【補正対象項目名】００４６
【補正方法】変更
【補正の内容】
【００４６】
本実施の形態２では、図７のステップＳ１０２においてスレーブ画像表示装置１０２〜１１６からマスター画像表示装置１０１に対して送信される情報にＧＩＤ（ｎ）が追加される。ここで、実施の形態１と同様、ｎは各画像表示装置１００の識別番号（ｎ＝１〜１６）である。本実施の形態ではグループは２つのため、ＧＩＤ（ｎ）は例えば１又は２の値をとる。
【手続補正１３】
【補正対象書類名】明細書
【補正対象項目名】００４７
【補正方法】変更
【補正の内容】
【００４７】
マスター画像表示装置１０１は、図７のステップＳ１０２において、実施の形態１と同様、スレーブ画像表示装置１０２〜１１６から送信される信号有無判定の結果を受信する。そして、マスター画像表示装置１０１は、ステップＳ１０３において、グループごとに、共通して選択する信号系統を決定する。即ち、ＧＩＤごとに制御結果Ｒｓｉｇｓｅｌ（ｍ）：（ｍ＝ＧＩＤ（ｎ））を算出する。
【手続補正１４】
【補正対象書類名】明細書
【補正対象項目名】００４９
【補正方法】変更
【補正の内容】
【００４９】
算出されたＧＩＤ毎の制御結果Ｒｓｉｇｓｅｌ（ｍ）はステップＳ１０４にてスレーブ画像表示装置１０２〜１１６に送信される。各画像表示装置１００では、自身のＧＩＤと一致するＲｓｉｇｓｅｌ（ｍ）に基づいて信号の切り替え処理（ステップＳ１０５，Ｓ１０６もしくはステップＳ２０４，Ｓ２０５）を実行する。
【手続補正１５】
【補正対象書類名】明細書
【補正対象項目名】００５０
【補正方法】変更
【補正の内容】
【００５０】
例えば図９の例において、ＧＩＤ＝１の画像表示装置１００は第１の信号系統（アルファベット「Ａ］の映像）を選択しており、ＧＩＤ＝２の画像表示装置は第２の信号系統（アルファベット「Ｂ］の映像）を選択している。つまり、Ｒｓｉｇｓｅｌ（１）＝１、Ｒｓｉｇｓｅｌ（２）＝２である。この状態において、スレーブ画像表示装置１０４の選択している信号（即ち第２の信号系統）が、映像信号ケーブルの断線等で無信号となった場合を考える。この場合、ＧＩＤ＝１の画像表示装置１００においては信号有無判定の結果は信号有となるため、Ｒｓｉｇｓｅｌ（１）は１のままである。一方、ＧＩＤ＝２のスレーブ画像表示装置１０４においては信号有無判定の結果は無信号となるため、Ｒｓｉｇｓｅｌ（２）を２から３に変更する。これにより、ＧＩＤ＝２の画像表示装置１００のみ映像信号が第２系統から第３系統（アルファベット「Ｃ」の映像）に切り替えられ、図１０に示す状態となる。